(57)【要約】【課題】  通信コストの低減・レスポンスの高速化・データ量の軽減が可能であり、音声出力に際しても自然なイントネーションが実現され、バーコードや二次元コード等の平面的なコードが使用された場合でも読取手段の位置決めを容易に行うことができる情報提供システムを提供する。【解決手段】  本発明の情報提供システム１は、コードを読み取る読取手段１４と、読取手段１４により読み取られたコードを解読する解読手段１２ａと、所定の識別子と単語とを対応させる対応手段１３ｂと、解読手段１２ａによりコードを解読した結果に所定の識別子が含まれていた場合、対応手段１３ｂを参照して当該所定の識別子を対応する単語に変換する変換手段１２ｂと、当該単語を出力する出力手段１５とを備える。【選択図】  図２
2006065512.tif 000002
【特許請求の範囲】
【請求項１】
コードを読み取る読取手段と、読取手段により読み取られたコードを解読する解読手段と、所定の識別子と単語とを対応させる対応手段と、解読手段によりコードを解読した結果に所定の識別子が含まれていた場合、対応手段を参照して当該所定の識別子を対応する単語に変換する変換手段と、当該単語を出力する出力手段とを備えることを特徴とする情報提供システム。
【請求項２】
前記対応手段は複数設けられており、前記変換手段は指定された対応手段を参照することを特徴とする請求項１記載の情報提供システム。
【請求項３】
前記読取手段と前記コードとの距離を一定に維持する読取ガイドを備えることを特徴とする請求項１記載の情報提供システム。
【請求項４】
前記読取ガイドには、表面凸に加工された前記コードに嵌合する嵌合部が設けられていることを特徴とする請求項２記載の情報提供システム。
【請求項５】
触覚により位置の認識が可能であることを特徴とする前記請求項１乃至請求項４のいずれか１項に記載の情報提供システムによって読取可能なコード。
【請求項６】
コードを読み取る読取ステップと、読み取ったコードを解読する解読ステップと、解読した結果に所定の識別子が含まれていた場合、識別子と単語とを対応付ける対応手段を参照して当該所定の識別子を対応する単語に変換する変換ステップと、当該単語を出力する出力ステップとを備えるようにコンピュータを機能させることを特徴とする情報提供プログラム。
【発明の詳細な説明】
【技術分野】
【０００１】
本発明は、携帯電話等の情報端末により実現され、商品等についての情報を提供する情報提供システム、その情報提供システムによって読取可能なコード、及び、情報提供プログラムに関するものである。
【背景技術】
【０００２】
医薬品等の商品には、その商品の使用方法や効能や注意事項等を記載した説明書が添付されている。説明書はその商品に関する様々な情報が記載されており、商品を使用する際には充分に熟読して理解することが望まれる。しかし、商品の説明書は、視覚のみで認識可能であり、さらに、狭小スペースに多くの事項が記載されており、視覚障害者や高齢者等にとっては読むのが不可能又は困難である場合が多い。
【０００３】
上記問題に鑑み、下記特許文献１には、商品に装着されるタグを読み取って情報を提供する商品情報提供システムが開示されている。この情報提供システムは、タグを読み取って得られる識別子をもとに、サーバに対して商品情報を要求し、その商品情報を出力するものである。
【特許文献１】特開２００２−２３０００２
【発明の開示】
【発明が解決しようとする課題】
【０００４】
しかしながら、上記従来技術の商品情報提供システムは、タグを読み取るたびにネットワークを介してサーバに商品情報を要求するものである。このため、使用するたびに通信コストが嵩み、また、タグを読み取ってから商品情報が表示されるまでのレスポンスが遅く、使用者に経済的且つ精神的な負担が生じていた。
【０００５】
また、商品情報には、例えば頭痛用の医薬品であれば「効能：頭痛」といったように、その商品の種類よって共通して使用される単語が多く含まれる。しかしながら、上記従来技術で使用されている商品情報データベースは、商品ごとに情報が蓄積されているため、かかる共通して使用される単語についても商品ごとに重複して蓄積され、商品が追加されるごとに情報量が増大し、記憶容量を圧迫するという問題が生じていた。
【０００６】
さらに、上記従来技術は、上記特許文献１の段落番号００２２に記載のように、タグの例としてバーコード、読取手段の例としてバーコードリーダが挙げられている。バーコードリーダでバーコードを読み取るためには、バーコードの位置を把握し、バーコードリーダを位置合わせする必要がある。しかしながら、商品に装着されるバーコードは平面的なものであるため、視覚障害者等にとってはその位置を把握することは困難である。タグとして通信タグを使用し、通信タグからの信号を受信する専用の端末を使用する例も挙げられているが、かかる通信タグはバーコード等と比較してコストが高く、専用の端末も必要であるため望ましくない。一方で、二次元コード読取機能を備えるカメラ付き携帯電話に代表されるように、コードの読取手段を備える汎用の情報端末が広く普及しており、その有効活用が期待される。
【０００７】
そこで、本発明の目的は、通信コストの低減・レスポンスの高速化・データ量の軽減が可能であり、バーコードや二次元コード等の平面的なコードが使用された場合でも読取手段の位置決めを容易に行うことができる情報提供システムを提供することを目的とする。
【課題を解決するための手段】
【０００８】
本発明の情報提供システムは、コードを読み取る読取手段と、読取手段により読み取られたコードを解読する解読手段と、所定の識別子と単語とを対応させる対応手段と、解読手段によりコードを解読した結果に所定の識別子が含まれていた場合、対応手段を参照して当該所定の識別子を対応する単語に変換する変換手段と、当該単語を出力する出力手段とを備えることを特徴とする。情報提供システムを実現する情報端末としては、カメラ内蔵型のコード読み取り機能付き携帯電話等である。
【０００９】
また、本発明の情報提供プログラムは、コードを読み取る読取ステップと、読み取ったコードを解読する解読ステップと、解読した結果に所定の識別子が含まれていた場合、識別子と単語とを対応付ける対応手段を参照して当該所定の識別子を対応する単語に変換する変換ステップと、当該単語を出力する出力ステップとを備えるようにコンピュータを機能させることを特徴とする。
【００１０】
識別子と単語とが対応付けされた対応手段を用いれば、文章やセンテンスを識別子の組み合わせで表現でき、また、識別子の組み合わせを単語に変換することによりセンテンスや文章に戻すことができる。本発明では、この対応手段に基づいて、センテンスや文章等となるように識別子を組み合わせ、その識別子列をコード化した二次元コード等を利用する。本発明の情報提供システム・情報提供プログラムによれば、上記コードを読取手段・読取ステップにより読み取り、解読手段・解読ステップにより解読し、解読の結果に所定の識別子が含まれている場合は対応手段に従って識別子を単語に変換する。変換後の単語は画面やスピーカ等の出力手段により文字や音声として出力する。商品ごとに情報を記憶する場合は、共通して使用される単語が重複して記憶されるため記憶容量を圧迫するが、本発明の対応手段では一つの単語に一つの識別子を付して記憶すれば良いため、単語を重複して記憶する必要がなく、記憶すべきデータ量を削減することができる。また、一文字ずつ組み合わせて文章とする場合は、イントネーションが不自然になったり、平仮名や片仮名のみの表示となるが、本発明によれば、識別子に対して単語が対応付けされているため、単語ごとにまとまりの有る発音がなされ、自然なイントネーションが実現される。画面表示においても、漢字等により単語ごとにまとまりのある表示をすることが可能である。対応手段がサーバに設けられている場合は、対応手段を参照するごとにサーバにアクセスする必要があるが、本発明によれば、対応手段は情報提供システムに設けられているため、通信コストの低減とレスポンスの高速化が図られる。商品に付するコードを二次元コード等とすることにより、二次元コード読取機能付き携帯電話等のような、一般的に広く普及している情報端末を有効活用することができる。
【００１１】
また、本発明の情報提供システムは、前記対応手段が複数設けられており、前記変換手段は指定された対応手段を参照することを特徴とする。この発明によれば、例えば大人用や子供用のように、対応手段がカテゴリー別に複数設けられており、変換手段は指定された対応手段を参照して識別子を単語に変換する。たとえば、カテゴリーを大人と子供に分け、大人用の対応手段と子供用の対応手段を設けることにより、子供にはアニメのキャラクターの音声により平易な単語で出力でき、大人には簡潔な単語で理路整然とした情報を出力することができる。利用者に応じた表現で情報が提供されるため、利用者にとって受け入れやすい状態となる。
【００１２】
前記情報提供システムは、前記読取手段とコードとの距離を一定に維持する読取ガイドを備えることを特徴とする。この発明によれば、読取ガイドにより読取手段とコードとの距離が一定に維持されるため、読取手段とコードとの間隔を簡単に適正距離に合わせることができる。例えば読取手段がカメラである場合は、焦点を簡単に合わせることができる。
【００１３】
前記読取ガイドには、表面凸に加工されたコードに嵌合する嵌合部が設けられていることを特徴とする。この発明によれば、読取ガイドの嵌合部を表面凸に加工されたコードに嵌合させるだけで、コードと読取手段との位置を簡単に合わせることができ、さらに位置合わせした後に位置ズレが防止され、コードの読み取り作業が容易になる。
【００１４】
前記情報提供システムによって読取可能なコードは、触覚により位置の認識が可能であることを特徴とする。視覚障害者等にとっては、コードを読み取るに際してコードの位置を把握することは非常に困難である。本発明によれば、触覚によりコードの位置を把握可能とすることにより、視覚障害者等によっても容易に位置合わせすることが可能となる。触覚により位置の認識を可能とするためには、例えば透明樹脂によりコード表面をコーティングして凸状態としたり、コード表面をざらつかせて周囲との触感を異ならせたり、その他様々な方法が考えられる。
【発明の効果】
【００１５】
本発明に係る情報提供システム・情報提供プログラムによれば、識別子と単語とが対応付けされた対応手段を用いるため、一つの単語を共有して使用することができ、記憶すべきデータ量の削減が図られる。また、単語ごとに対応付けされているため、一文字ずつ組み合わせて文章を生成する場合と比較して、自然なイントネーションが実現され、漢字等のように単語ごとにまとまりのある表示も可能である。対応手段は情報提供システムに設けられているため、サーバにアクセスする回数が少なく、通信コストの低減とレスポンスの高速化が可能となる。二次元コード等のコードを読み取るため、コード読取機能を備える携帯電話等のような一般的に普及している端末を利用することができる。
【００１６】
また、大人用・子供用、日本語用・英語用などのようにカテゴリーごとに対応手段を複数設けることにより、利用者に応じた表現で情報を提供することができる。
【００１７】
さらに、読取ガイドを備えることにより、読取手段とコードとの距離を簡単に合わせることができる。その読取ガイドにコードと嵌合する嵌合部が設けられることにより、読取ガイドの位置合わせが容易となり、位置合わせした後の位置ズレも防止される。視覚障害者や高齢者等にとっては、読取手段とコードとの距離や位置を適正に合わせる作業が困難であるが、この読取ガイドを使用すれば読取手段とコードとの距離や位置を簡単に合わせることができる。二次元コード等の平面的なコードは、視覚障害者にとって位置認識が困難であるが、例えばコードの表面を凸状にする等により、触覚による位置認識を可能とすれば、視覚障害者等によってもコードの位置を把握することができる。凸状に加工する場合は、コード表面を透明樹脂により被覆する等だけでよく、低コストで実現可能である。
【発明を実施するための最良の形態】
【００１８】
（第１の実施の形態）
本発明の第１の実施の形態の情報提供システム１は携帯電話等の情報端末により実現される。図１は本発明の情報提供システム１を説明する説明図である。情報提供システム１は、例えば携帯電話等の情報端末であり、パケット通信網等の電話回線やインターネット等のネットワークを介してサーバ２と接続可能となっている。情報提供システム１は、商品３のパッケージや説明書に付されているコード３ａを読み取ることにより、その商品３の情報を文字や音声にて出力するものである。本実施の形態では、情報量の観点からコード３ａとして二次元コードを使用するが、バーコードやその他の方式のコードでも良い。
【００１９】
図２は、情報提供システム１の機能を説明するブロック図である。情報提供システム１は、通信インタフェース１１と、ＣＰＵ等の制御部１２と、メモリ等の記憶手段１３と、コードを読み取る読取手段１４と、画面やスピーカ等の出力手段１５とを備える情報端末である。情報提供システム１を実現する情報端末としては、一般に広く普及しているものが好ましく、本実施の形態では、コード（二次元コード）３ａをカメラで読み取るとともに、コード３ａを解読する機能を備えるカメラ内蔵型のコード読み取り機能付き携帯電話である。
【００２０】
通信インタフェース１１は、情報提供システム１をパケット通信網等の電話回線やインターネット等のネットワークに接続するものであり、これにより情報提供システム１は電話回線やインターネット等のネットワークを介してサーバ２とデータの送受信が可能となっている。
【００２１】
読取手段１４は、例えば携帯電話に内蔵のカメラである。レーザ等によりコードを読み取るコードリーダでも良いし、他のコードリーダでも良い。出力手段１５は、文字等を表示する液晶画面や音声等を出力するスピーカ等である。
【００２２】
記憶手段１３には、情報提供プログラム１３ａと対応手段１３ｂとが記憶されている。図３（ａ）は、対応手段１３ｂの内容を概念的に説明する説明図である。対応手段１３ａは、各識別子に対して単語の文字データと音声データが対応付けされている。たとえば、識別子「００１」に対しては、単語の文字データ「商品名」と音声データ「ショウヒンメイ」が対応付けされている。識別子としては、３桁の数字を使用しているが、単語を識別可能なものであれば良く、アルファベットや他の識別子でも良い。単語としては、商品の説明等に必要となる様々な単語である。たとえば、商品が医薬品である場合は、説明書の項目に使用される「商品名」「用法」「用量」「効能」等、具体的な商品名「商品名Ａ」「商品名Ｂ」「商品名Ｃ」等、用法の項目に使用される「一日」「一回」「食後」「食前」等、用量の項目に使用される「１５才」「７才」「以上」「未満」等、効能の項目に使用される「目の疲れ」「頭痛」「胃炎」「咳」等が、各識別子に対応付けられる。
【００２３】
なお、平仮名や片仮名などの所定の文字に関しては、図３（ｂ）に示すように、識別子を用いることなく、平仮名や片仮名に対する音声データとして平仮名・片仮名用音声データ１３ｃが記憶手段１３に記憶されている。たとえば、平仮名「あ」や片仮名「ア」に対しては、音声データ「ア」が対応付けて記憶されている。
【００２４】
図４は、記憶手段１３における上記対応手段１３ｂや平仮名・片仮名用音声データ１３ｃのデータ配列を説明する図である。対応手段１３ｂや、平仮名・片仮名用音声データ１３ｃは、記憶手段１３の所定の記憶領域（スクラッチパッド）に記憶されている。所定の記憶領域（スクラッチパッド）には、識別子・単語の文字データ（テキストファイル）・単語の音声データ（ｍｌｄファイル）の組が複数配列したデータが記憶されており、これが対応手段１３ｂとしての役割を果たしている。また、平仮名・片仮名用音声データ１３ｃもｍｌｄファイル形式でこの記憶領域に記憶されている。本実施の形態では、この対応手段１３ｂは、ネットワークを介してサーバ２からダウンロードされるが、別途記憶媒体から読み込まれたり、予め対応手段１３に相当するデータが記録されたＲＯＭが内蔵されていても良い。
【００２５】
制御部１２は、情報提供プログラム１３ａが制御部１２で実行されることにより、解読手段１２ａや、変換手段１２ｂ等の各手段を備えるように情報提供システム１を機能させる。
【００２６】
解読手段１２ａは、読取手段１４により読み取られたコード３ａを解読する機能を備える。変換手段１２ｂは、解読手段１４によりコード３ａを解読して得られた結果に所定の識別子（本実施の形態では３桁の数字）が含まれていた場合、対応手段１３ｂを参照し、文字データや音声データを用いて当該所定の識別子を対応する単語に変換する機能を備える。たとえば、識別子「００１」は単語「商品名」に変換される。
【００２７】
出力手段１５は、変換手段１２ｂによる変換後の単語を出力する機能を備える。たとえば、識別子を文字データを利用して単語に変換した場合は、その単語を文字として画面に出力したり、音声データを利用して変換した場合は音声としてスピーカから出力する。なお、平仮名や片仮名を含むコード３ａを読取手段１４により読み取ると、平仮名・片仮名部分は解読手段１２ａにより直接文字に変換されるため、情報提供システム１は、その平仮名・片仮名を文字としてそのまま画面に表示するとともに、記憶手段１３を参照して対応する音声データをスピーカに出力する。
【００２８】
（動作説明）
情報提供システム１は、以下のように使用されて動作する。利用者は、初期の準備段階として、情報提供システム１からサーバ２にアクセスして、サーバ２に記憶されているプログラム１３ａと対応手段１３ｂと平仮名・片仮名用音声データ１３ｃをダウンロードする。プログラム１３ａは、情報提供システム１にインストールされ、対応手段１３ｂはメモリ等の記憶手段１３に記憶される。これにより、汎用の携帯電話等の情報端末が、情報提供システム１として機能することとなる。
【００２９】
利用者は、商品３のパッケージ等に付されているコード３ａを情報提供システム１の読取手段１４であるカメラを使用して撮影する。情報提供システム１は、読取手段１４によりコード３ａを読み取り（読取ステップ）、読み取ったコード３ａを解読手段１２ａにより解読する（解読ステップ）。たとえば、コード３ａを解読後の情報としては、識別子列「００１  １０１  ００２  ２０１  ２０２  ２０３  ００３  ３０１  ３０３  ３０５  ００４  ４０２」となる。
【００３０】
情報提供システム１の変換手段１２ｂは、コード３ａを解読して得られた結果に所定の識別子（本実施の形態では三桁の数字）が含まれている場合、対応手段１３ｂを参照して当該識別子を単語に変換する（変換ステップ）。たとえば、本実施の形態の対応手段１３ｂを用いると、上記識別子列「００１  １０１  ００２  ２０１  ２０２  ２０３  ００３  ３０１  ３０３  ３０５  ００４  ４０２」は「商品名  商品名Ａ  用法  一日  一回  食後  用量  １５才以上  １錠  効能  頭痛」に変換される。変換に際しては、文字データを利用して文字に変換しても良く、又、音声データを利用して音声に変換しても良い。変換された単語は、出力手段（画面）１５に文字として出力されたり、出力手段（スピーカ）１５に音声として出力される（出力ステップ）。
【００３１】
図５（ａ）は、情報提供システム１によりコード３ａが読み込まれた状態の一例を示す図であり、図５（ｂ）は情報が出力されている状態の一例を示す図である。読取手段による二次元コードの読み取り中は、画面に二次元コードが表示される。読み取りが終了すると、スピーカから音声による情報が出力され、画面には文字による情報が出力される。
【００３２】
利用者は、出力された音声を聴いたり、画面に表示された文字を読んだりして、その商品の情報を得ることができる。視覚障害者等は説明書を読むことが困難であるが、本発明によれば、音声出力により聴覚で商品の情報を得ることができる。また、商品の情報は説明書等の狭小スペースに小さな文字で記載されていることが多いが、本発明によれば、商品の情報を画面に大きく表示することにより、高齢者等のように小さな文字を読むのが困難な利用者にとっても便利である。とくに、医薬品等の商品は、使用に充分な注意が必要であり、説明書等に記載された情報を理解することが重要であるが、本情報提供システム１によれば、視覚障害者や高齢者等にとっても必要な情報を充分に得ることができる。
【００３３】
対応手段１３ｂは予めサーバ２からダウンロードされて記憶手段１３に記憶されているため、コード３ａの読み取りから出力までの過程においては通信が不要であり、通信コストの軽減・レスポンスの高速化が図られる。音声出力は単語ごとにまとまりのある発音が成されるため、自然なイントネーションが実現される。文字出力においても、漢字等により単語ごとにまとまりのある表示が可能となり、解りやすい画面表示となる。
【００３４】
なお、出力は、スピーカによる音声出力のみでも、画面による文字出力のみでも良い。視覚障害者の利便性の観点からは音声出力が好ましく、また、小さな文字を読み難くなった高齢者等のためには画面に表示される文字を大きくして出力するのが好ましい。利用者の視力や聴力に応じた出力が可能となるように、音や文字の大きさを任意に変更可能としても良い。
【００３５】
なお、読み込んだコード３ａに平仮名や片仮名が含まれている場合は、解読手段１２ａにより直接文字に変換されるため、それを画面に表示する。音声による出力の場合は、記憶手段１３の平仮名・片仮名用音声データ１３ｃを参照し、各平仮名や片仮名に対応する音声を出力する。たとえば、解読手段１２ａによりコードを解読した結果が「００１  は  ０１２  です」の場合は、「商品  は  商品名Ｂ  です」と変換される。単語と平仮名・片仮名を併用することにより、より自然な文章として情報を出力することができる。
【００３６】
（第２の実施の形態）
本実施の形態の情報提供システム１は、上記実施の形態とほぼ同様であるが、例えば男性・女性・大人・子供等のように、カテゴリーに応じた内容や表現で情報を提供することを可能とするものである。対応手段１３ｂはカテゴリーごとに記憶手段１３に記憶されており、利用者等によってカテゴリーが選択されることにより、複数の対応手段１３ｂから一の対応手段１３ｂが指定される。変換手段１２ｂは、識別子を単語に変換するに際し、指定された対応手段１３ｂを参照する。図６は、カテゴリーを大人と子供に分けたときの対応手段１３ｂの一例である。大人用の対応手段１３ｂは、「用法」「用量」等といった簡潔な単語を用いており、音声データは明瞭な女性等の音声を使用している。一方、子供用の対応手段１３ｂは、用法を「使い方」、用量を「使う量」というように平易な表現を用いており、音声データはアニメのキャラクター等の音声を使用している。
【００３７】
この情報提供システム１を使用する場合は、利用者は予め登録画面にて希望するカテゴリーを登録しておくか、又は、画面に表示されるカテゴリー一覧から希望するカテゴリーを選択することにより、希望のカテゴリーを指定する。その後に、読取手段１４によりコード３ａを読み取ると、解読手段１２ａによりコード３ａが解読される。変換手段１２ｂは、解読手段１２ａにより得られた識別子を単語に変換するに際し、利用者により指定されたカテゴリーの対応手段１３ｂを参照する。これにより、利用者の希望に応じた表現で情報が出力される。たとえば、利用者が子供であれば、アニメのキャラクター等の親しみやすい音声により平易な単語を用いて情報を出力することにより、受け入れやすい表現で情報を提供することができる。
【００３８】
さらに、情報提供システム１は、言語の種類ごとにカテゴリー分けされた各言語用の対応手段１３ｂを記憶し、利用者に応じて言語を選択できるようにしても良い。たとえば、日本語用の対応手段は、識別子と日本語の単語が対応付けられており、英語用の対応手段は、識別子と英語の単語が対応付けられている。利用者に応じて適切な言語が選択されて出力されるため、日本人のみならず外国人にも情報を提供することが可能となる。
【００３９】
（第３の実施の形態）
図７は本実施の形態の情報提供システムを説明する図である。情報提供システムは、上記実施の形態の情報提供システム１に読取ガイド４を備える。
【００４０】
本実施の形態で使用される商品３には、コード３ａが印刷やシールの貼着等により平面的に付されており、このコード３ａの表面は、透明樹脂が塗布等されることにより凸状態に加工されている。
【００４１】
情報提供システム１には、本体１６に読取手段１４であるカメラが内蔵されており、所定箇所にカメラのレンズ１４ａが設けられている。読取ガイド４は、透明なプラスチック製であり、直径約３．５ｃｍ、長さ約４ｃｍの円筒形状の付属部材である。この読取ガイド４は、一端側を内周の内側に読取手段１４（詳しくはカメラのレンズ１４ａ）が収まるように本体１４に当接させ、他端側を内周の内側にコード３ａが収まるように商品３に当接させて使用される。
【００４２】
読取ガイド４は、内周をコード３ａに嵌合する大きさとして、商品３に当接させる側（他端側）がコード３ａと嵌合する嵌合部４ａとしての機能を果たすようにすることが好ましい。本実施の形態では、多角形状のコード３ａの角部が円筒形状の嵌合部４ａの内周に接する大きさであり、接点により嵌合するようになっている。嵌合部４ａを円筒形状とすることにより、嵌合部４ａとコード３ａとの嵌め合わせに際して方向性が問われず、作業が簡単である。なお、コード３ａと嵌合部４ａは、互いに隙間無く嵌合する形状のものでも良い。また、読取ガイド４の嵌合部４ａとコード３ａの大きさは、読取ガイド４を商品３に当接させたときに、嵌合部４ａにコード３ａが収まるように、所定の規格に従って一律に設定されていることが好ましい。
【００４３】
この読取ガイド４を使用するときは、読取ガイド４の一端側を内周の内側に読取手段１４（レンズ１４ａ）が収まるように本体１４に当接させ、他端側を内周の内側にコード３ａが収まるように商品４に当接させ、カメラのシャッターを押してコード３ａを読み取る。読取手段１４（レンズ１４ａ）とコード３ａとの距離が一定に維持され、カメラの焦点を簡単に合わせることができる。コード３ａの表面が凸状態に加工されている場合は、読取ガイド４の嵌合部４ａをコード３ａに嵌合させることにより簡単に位置合わせすることができ、位置合わせした後における位置ズレも防止される。また、視覚障害者にとっては、平面的なコード３ａの位置を把握することは困難であるが、本実施の形態のコード３ａは表面が凸に加工されているため触覚により位置を把握することができ、コード３ａと読取手段４（レンズ１４ａ）との位置合わせも容易となる。
【００４４】
上記各実施の形態は、医薬品の情報を提供する場合を例に説明したが、本情報提供システム１は様々な商品やサービス等の情報の提供に使用可能である。たとえば、情報提供システム１の対応手段に、レストランのメニューに使用される単語と識別子との対応付けを記憶させ、レストランに設置されたコードを読み込むことにより、メニューの情報を提供可能としても良いし、雑誌の表紙に記載されている情報を提供可能としても良いし、その他、様々な商品の情報を提供する情報提供システムとして利用可能である。
【図面の簡単な説明】
【００４５】
【図１】本発明の情報提供システムを説明する説明図。
【図２】第１の実施の形態の情報提供システムの機能を説明するブロック図。
【図３】（ａ）は第１の実施の形態の情報提供システムに記憶される対応手段を概念的に説明する説明図、（ｂ）は平仮名・片仮名用の音声データを概念的に説明する説明図。
【図４】記憶手段における対応手段や平仮名・片仮名に対する音声データのデータ配列を説明する説明図。
【図５】（ａ）は情報提供システムによりコードが読み込まれた状態の一例を示す図、（ｂ）は情報が出力されている状態の一例を示す図。
【図６】第２の実施の形態の情報提供システムに使用される対応手段を説明する説明図。
【図７】第３の実施の形態の情報提供システムを示す図。
【符号の説明】
【００４６】
１      情報提供システム
１１    通信インタフェース
１２    制御部
１２ａ  解読手段
１２ｂ  変換手段
１３    記憶手段
１３ａ  情報提供プログラム
１３ｂ  対応手段
１４    読取手段
１４ａ  カメラのレンズ
１５    出力手段
２      サーバ
３      商品
３ａ    コード（二次元コード）
４      読取ガイド
４ａ    嵌合部
【図１】
2006065512.tif 000003
【図２】
2006065512.tif 000004
【図３】
2006065512.tif 000005
【図４】
2006065512.tif 000006
【図５】
2006065512.tif 000007
【図６】
2006065512.tif 000008
【図７】
2006065512.tif 000009